(57)【要約】【課題】色見本を構成する複数の色票として、外郭面の色が同じ密度の複数の色票の場合に比べ、少ない色票の色の表示でも精度よく表示装置１の色再現特性を取得できるように色見本を表示装置１に表示させる表示制御装置を提供する。【解決手段】制御部３は、複数の色票の色の値を表示装置１に与えて色を表示させる。複数の色票の色として、例えば、稜線となる色を、他の外郭面の色よりも密に含む複数の色、または、重要な色の色相に含まれる色を他の色相に含まれる色よりも密に含む色を用いる。あるいは、表示装置１の色再現特性と色再現目標の色再現特性の比較結果に応じて設定された色領域内の色を該色領域外の色に比べて密に含む複数の色を用いる。制御部３が表示装置１に表示させた色は測色器２で測色され、作成部４は表示装置１に与えた色の値と測色値とを対応付けて色値対を取得し、色変換モデルや色域外郭、色変換プロファイルなどを作成する。【選択図】図１
2015136022.tif 000002
【特許請求の範囲】
【請求項１】
表示手段の色再現特性を得る際に使用する色見本を構成する複数の色票であって、前記表示手段の色空間における複数の色成分のうち一つの色成分の値が該色成分の値の最小値または最大値となる色のうち、二つの色成分の値がともに各色成分の値の最小値または最大値となる色を密に含む前記複数の色票を、前記表示手段に表示させる表示制御装置。
【請求項２】
表示手段の色再現特性を得る際に使用する色見本を構成する複数の色票であって、前記表示手段の色空間における複数の色成分のうち一つの色成分の値が最大値で他の色成分の値が最小値となる色相、または二つの色成分の値が最大値で他の色成分の値が最小値となる色相に含まれる色を、他の色相に含まれる色よりも密に含む前記複数の色票を、前記表示手段に表示させる表示制御装置。
【請求項３】
表示手段の色再現特性を得る際に使用する色見本を構成する複数の色票の色として、前記表示手段の色再現特性と色変換目標の色再現特性の比較結果に応じて設定された色領域内の色を該色領域外の色に比べて密に含む前記表示手段の色空間における複数の色を前記表示手段に表示させる制御手段を有することを特徴とする表示制御装置。
【請求項４】
前記制御手段は、前記表示手段と前記色変換目標における白の輝度の差分又は色温度の差分に応じて設定された白を起点とする色領域内の色を該色領域外の色に比べて密に含む複数の色を前記表示手段に表示させることを特徴とする請求項３に記載の表示制御装置。
【請求項５】
前記制御手段は、前記表示手段と前記色変換目標における黒の輝度の差分に応じて設定された黒を起点とする色領域の色を該色領域外の色に比べて密に含む複数の色を前記表示手段に表示させることを特徴とする請求項３に記載の表示制御装置。
【請求項６】
前記制御手段は、前記表示手段と前記色変換目標における一つの色成分の値を最大値とし他の色成分の値を最小値とする色または二つの色成分の値を最大値とし他の色成分の値を最小値とする色のうちの少なくとも一色における色再現特性の違いに応じて設定された色領域の色を該色領域外の色に比べて密に含む複数の色を前記表示手段に表示させることを特徴とする請求項３に記載の表示制御装置。
【請求項７】
さらに、前記表示手段の色再現特性と色変換目標の色再現特性を比較し、該比較の結果に応じて色領域を設定し、該色領域内の色が該色領域外の色に比べて密に含まれるように前記表示手段の色空間における複数の色を生成する生成手段を有することを特徴とする請求項３から請求項６のいずれか１項に記載の表示制御装置。
【請求項８】
コンピュータに、請求項１から請求項７のいずれか１項に記載の表示制御装置の機能を実行させるものであることを特徴とする表示制御プログラム。
【請求項９】
請求項１から請求項７のいずれか１項に記載の表示制御装置で前記表示手段の色再現特性を得る際に前記表示手段に表示させる前記複数の色の値の集合からなることを特徴とする色値データ構造。
【発明の詳細な説明】
【技術分野】
【０００１】
本発明は、表示制御装置、表示制御プログラム、色値データ構造に関するものである。
【背景技術】
【０００２】
一般に、カラー出力を行う出力装置では、ある色の値を与えても再現される色が異なる場合があり、また、再現される色範囲（色域）もそれぞれの出力装置で異なっている場合がある。異なる出力装置で再現される色を共通化することを考えた場合、それぞれの装置で再現される色の特性を取得し、再現される色が共通化されるように色を変換している。さらに、例えば装置で再現されない色の値が与えられた場合に、再現される色に変換する色域圧縮処理なども行われている。このほかにも、装置の色再現特性に応じた様々な色処理が行われている。
【０００３】
これらの色処理を行ったり色再現特性を取得するには、色の値を出力装置に与え、その出力装置から出力される色がどのような色かを調べればよい。出力装置から出力された色は、一般には測色器を用いて出力された色を測色し、測色値を得ている。この測色値と、出力装置に与えた色の値との対（色値対）は、与えた色における出力装置の入出力特性を表すことになる。このような色値対を色空間においてまんべんなく取得すれば、当該出力装置の色再現特性が得られる。
【０００４】
出力装置の一つである画像形成装置では、一括して色の出力が行われ、その測色も一括して行われる。しかし、表示装置などでは、例えば、一つずつ色の値を与えて表示させては測色するという操作を、取得する色値対の数だけ繰り返さなければならない。従って、時間や手間を考慮すると表示装置などでは画像形成装置に比べて色値対の数は制限されてしまう。
【０００５】
上述した色変換を行う場合、色変換特性を表す色変換モデルを作成し、この色変換モデルを用いて色変換を行っている。また、色域圧縮処理を行う場合には、色域の境界である色域外郭を求め、この色域外郭を用いて色変換を行っている。色変換モデルの作成や色域外郭の取得には、上述の色値対を用いて行う。例えば特許文献１には、色の値としてＹＭＣの値を画像形成装置などの出力装置に与え、出力された色を測色して色値対を得て、この色値対から色空間内に設けた格子点の値を補間により計算し、色変換モデルを作成することが記載されている。
【０００６】
このような色値対から作成する色変換モデルや色域外郭は、用いる色値対が精度に影響する。色空間においてまんべんなく色値対を取得して用いれば、出力装置の色再現特性に対応した色変換モデルや色域外郭が得られる。しかし、色値対の数が制限されている場合には、色値対を取得する際に使用する色を工夫し、精度への影響を抑えることが必要となる。
【先行技術文献】
【特許文献】
【０００７】
【特許文献１】特開平０８−１９５８９０
【発明の概要】
【発明が解決しようとする課題】
【０００８】
本発明は、色見本を構成する複数の色票として、外郭面の色が同じ密度で含まれる複数の色票を用いる場合に比べて、少ない色票の色の表示でも精度よく表示手段の色再現特性を取得できるように色見本の表示を表示手段に行わせることができる表示制御装置及び表示制御プログラムと、そのような表示制御装置が表示手段への表示に用いる色の値の集合である色値集合データ構造を提供することを目的とするものである。
【課題を解決するための手段】
【０００９】
本願請求項１に記載の発明は、表示手段の色再現特性を得る際に使用する色見本を構成する複数の色票であって、前記表示手段の色空間における複数の色成分のうち一つの色成分の値が該色成分の値の最小値または最大値となる色のうち、二つの色成分の値がともに各色成分の値の最小値または最大値となる色を密に含む前記複数の色票を、前記表示手段に表示させる表示制御装置である。
【００１０】
本願請求項２に記載の発明は、表示手段の色再現特性を得る際に使用する色見本を構成する複数の色票であって、前記表示手段の色空間における複数の色成分のうち一つの色成分の値が最大値で他の色成分の値が最小値となる色相、または二つの色成分の値が最大値で他の色成分の値が最小値となる色相に含まれる色を、他の色相に含まれる色よりも密に含む前記複数の色票を、前記表示手段に表示させる表示制御装置である。
【００１１】
本願請求項３に記載の発明は、表示手段の色再現特性を得る際に使用する色見本を構成する複数の色票の色として、前記表示手段の色再現特性と色変換目標の色再現特性の比較結果に応じて設定された色領域内の色を該色領域外の色に比べて密に含む前記表示手段の色空間における複数の色を前記表示手段に表示させる制御手段を有することを特徴とする表示制御装置である。
【００１２】
本願請求項４に記載の発明は、本願請求項３に記載の発明における前記制御手段が、前記表示手段と前記色変換目標における白の輝度の差分又は色温度の差分に応じて設定された白を起点とする色領域内の色を該色領域外の色に比べて密に含む複数の色を前記表示手段に表示させることを特徴とする表示制御装置である。
【００１３】
本願請求項５に記載の発明は、本願請求項３に記載の発明における前記制御手段が、前記表示手段と前記色変換目標における黒の輝度の差分に応じて設定された黒を起点とする色領域の色を該色領域外の色に比べて密に含む複数の色を前記表示手段に表示させることを特徴とする表示制御装置である。
【００１４】
本願請求項６に記載の発明は、本願請求項３に記載の発明における前記制御手段が、前記表示手段と前記色変換目標における一つの色成分の値を最大値とし他の色成分の値を最小値とする色または二つの色成分の値を最大値とし他の色成分の値を最小値とする色のうちの少なくとも一色における色再現特性の違いに応じて設定された色領域の色を該色領域外の色に比べて密に含む複数の色を前記表示手段に表示させることを特徴とする表示制御装置である。
【００１５】
本願請求項７に記載の発明は、本願請求項３から請求項６のいずれか１項に記載の発明の構成に、さらに、前記表示手段の色再現特性と色変換目標の色再現特性を比較し、該比較の結果に応じて色領域を設定し、該色領域内の色が該色領域外の色に比べて密に含まれるように前記表示手段の色空間における複数の色を生成する生成手段を有することを特徴とする表示制御装置である。
【００１６】
本願請求項８に記載の発明は、コンピュータに、請求項１から請求項７のいずれか１項に記載の表示制御装置の機能を実行させるものであることを特徴とする表示制御プログラムである。
【００１７】
本願請求項９に記載の発明は、請求項１から請求項７のいずれか１項に記載の表示制御装置で前記表示手段の色再現特性を得る際に前記表示手段に表示させる前記複数の色の値の集合からなることを特徴とする色値データ構造である。
【発明の効果】
【００１８】
本願請求項１に記載の発明によれば、色見本を構成する複数の色票として外郭面の色が同じ密度で含まれる複数の色票を用いる場合に比べて、少ない色票の色の表示でも精度よく色再現特性を取得できる色見本の表示を表示手段に行わせることができるという効果がある。
【００１９】
本願請求項２に記載の発明によれば、色見本を構成する複数の色票として色相によらず同じ密度で含まれる複数の色票を用いる場合に比べて、少ない色票の色の表示でも精度よく色再現特性を取得できる色見本の表示を表示手段に行わせることができるという効果がある。
【００２０】
本願請求項３に記載の発明によれば、本構成を有しない場合に比べて、色変換目標で色再現する際の表示手段の色再現特性を精度よく取得できる色見本の表示を表示手段に行わせることができるという効果がある。
【００２１】
本願請求項４に記載の発明によれば、本構成を有しない場合に比べて、色変換目標で精度よく白が色再現されるように色見本の表示を表示手段に行わせることができる。
【００２２】
本願請求項５に記載の発明によれば、本構成を有しない場合に比べて、色変換目標で精度よく黒が色再現されるように色見本の表示を表示手段に行わせることができる。
【００２３】
本願請求項６に記載の発明によれば、本構成を有しない場合に比べて、色変換目標で重要な色が精度よく色再現されるように色見本の表示を表示手段に行わせることができる。
【００２４】
本願請求項７に記載の発明によれば、表示手段に表示させる色見本の色を、色変換目標の色再現特性に応じて生成することができる。
【００２５】
本願請求項８に記載の発明によれば、本願請求項１から請求項７のいずれか１項に記載の発明の効果を得ることができる。
【００２６】
本願請求項９に記載の発明によれば、本願請求項１から請求項７のいずれか１項に記載の発明の効果を得るための色値の集合を提供することができる。
【図面の簡単な説明】
【００２７】
【図１】本発明の第１の実施の形態を含む構成図である。
【図２】本発明の第１の実施の形態において表示装置に表示させる色見本の色の第１の具体例の説明図である。
【図３】本発明の第１の実施の形態において表示装置に表示させる色見本の色の第２の具体例の説明図である。
【図４】ＲＧＢ色空間における色相面の一例の説明図である。
【図５】本発明の第２の実施の形態を含む構成図である。
【図６】本発明の第２の実施の形態における生成部の動作の一例を示す流れ図である。
【図７】本発明の第２の実施の形態において色再現特性として白の輝度を用いた場合の色の生成の一例の説明図である。
【図８】本発明の第２の実施の形態において色再現特性として黒の輝度を用いた場合の色の生成の一例の説明図である。
【図９】本発明の第２の実施の形態において色再現特性として彩度を用いた場合の色の生成の一例の説明図である。
【図１０】本発明の各実施の形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２８】
図１は、本発明の第１の実施の形態を含む構成図である。図中、１は表示装置、２は測色器、３は制御部、４は作成部である。図１に示した例では、表示装置１の色再現特性を取得する際の表示制御だけでなく、色値対を取得して使用する構成についても図示している。
【００２９】
表示装置１は、カラー画像を表示する。この表示装置１の色再現特性に応じた色値対を取得する際には、制御部３から与えられた色の値に従って色を表示する。表示装置１としては、ＣＲＴ、液晶表示装置、プラズマ表示装置、有機ＥＬ表示装置などのほか、プロジェクタなどの投写型の表示装置等であってもよい。
【００３０】
測色器２は、制御部３の制御に従い、表示装置１が表示した色を測色し、測色値を得る。測色器２は既知のものでよい。なお、測色値は測色器２から出力される色空間の値を用いるほか、他の装置に依存しない色空間の値に変換してもよい。
【００３１】
制御部３は、表示装置１における表示の制御を行う。表示装置１の色再現特性を取得する際には、色見本を構成する複数の色票の色の値を表示装置１に与えて色を表示させる制御を行う。さらに、表示装置１に与えた色の値と、表示装置１に表示させた色を測色器２により測色して得た測色値との対（色値対）を複数得て、色再現特性を取得することになる。従って、色再現特性を取得する場合には、表示装置１に色見本を構成する色票として表示させる色を変えながら繰り返し行うことになる。この制御部３が表示装置１に表示させる、色見本を構成する色票のの色の一例については後述する。
【００３２】
作成部４は、表示装置１の色再現特性を取得し、例えば表示装置１の色再現特性を表す色変換モデルを作成する。あるいは、表示装置１が表示する色の領域（色域）の外郭を作成する。あるいはさらに、色変換モデルや色域外郭の情報をもとに、表示装置１の色変換プロファイルを作成する。もちろん、このほか、色値対を用いる種々の処理を行ってもよい。表示装置１の色再現特性を取得する際には、制御部３が表示装置１に与えた色の値を得るとともに、測色器２を制御して表示装置１に表示されている色を測色させ、測色値を得る。そして、制御部３が表示装置１に与えた色の値と、測色器２から得た測色値を対応付け、色値対を取得する。このような処理を、制御部３が表示装置１に与える色を変えるたびに繰り返して行い、複数の色値対を取得すればよい。この複数の色値対が表示装置１の色再現特性を示し、上述の色変換モデルや色域外郭、色変換プロファイルなどの作成に使用すればよい。
【００３３】
上述のように、表示装置１の色再現特性に応じた色値対を取得する際には繰り返しの処理や操作が行われ、手間や時間を要する。そのため、例えば画像形成装置などで一括して色値対を得るものとは異なり、色値対の数は制限される。そのように色値対の数が制限されている場合でも、作成部４で作成する色変換モデルや色域外郭などの精度を確保する。以下、この第１の実施の形態において表示装置１に表示させる色及び取得する色値対の具体例をいくつか示す。
【００３４】
図２は、本発明の第１の実施の形態において表示装置に表示させる色見本の色の第１の具体例の説明図である。この第１の具体例では、表示装置１の色再現特性を得る際に使用する色見本を構成する複数の色票の色として、色の値を示す複数の色成分のうち一つの色成分の値がその色成分の値の最小値または最大値となる色のうち、二つの色成分の値がともに各色成分の値の最小値または最大値となる色を密に含む複数の色票の色を、表示装置１に表示させる例を示している。
【００３５】
この具体例では、一例として、表示装置１がＲＧＢ色空間の色の値を受け取って色を表示するものとし、測色器２は表示された色を測色し、測色値としてＬＡＢ色空間の値が得られるものとする。測色器２から出力される値と測色値として取得する値の色空間が異なっていてもよく、その場合には色変換を行っておけばよい。図２（Ａ）にはＲＧＢ色空間の一例を示しており、黒丸は表示装置１に表示させる色を示している。それぞれの色成分Ｒ，Ｇ，Ｂについて２分割し、最小値、最大値、中間値の３点の組み合わせを、表示させる色の値としたものとする。もちろん、分割数はこの例に限られないが、分割数を増やすと色の数はその三乗に比例して増加することから、色値対を取得する手間や時間などによって制限される。
【００３６】
ＲＧＢ色空間において取り得る色の領域（色域）は６面体として表される。一般に、表示装置１が受け付ける各色成分の値には最大値及び最小値が決まっており、Ｒ成分、Ｇ成分、Ｂ成分とも、最小値以上最大値以下の値を受け付ける。各色成分の値は独立であることから、表示装置１のＲＧＢ色空間における色域は、図２（Ａ）等に示す６面体となる。
【００３７】
この色域において、黒丸で示した色のＲＧＢ値を制御部３が表示装置１に与え、表示装置１に色を表示させる。そして、表示装置１に表示された色を測色器２で測色し、測色値が得られる。図２（Ａ）に示したＲＧＢ色空間における色域に存在する黒丸で示した色に対応する測色値を、図２（Ｂ）に示したＬＡＢ色空間において黒丸で示している。図２（Ｂ）では、これら黒丸で示した色から得られる色域外郭を実線により示している。
【００３８】
ＲＧＢ色空間における色域は６面体となるが、測色値のＬＡＢ色空間における色域は６つの曲面により囲まれた領域となる。そして、ＲＧＢ色空間の６面体の各辺は、ＬＡＢ色空間においては隣接する曲面の交線となる。この交線を、ここでは稜線と呼ぶことにする。この稜線の色は、色域外郭の色の中でも重要な色であり、ＬＡＢ色空間における色域外郭の形状からして、誤差の影響が他の色域外郭の色に比べて大きい色である。
【００３９】
ＬＡＢ色空間における稜線は曲がっている場合がある。分割数を制限している場合、色値対から得られる稜線は折れ線であって、曲線からなる稜線とは誤差が生じる。この稜線における誤差を抑えれば、作成部４で作成した色域外郭や色変換モデルの精度が確保される。
【００４０】
この誤差を抑えるには、図２（Ａ）で説明した分割数を増やすことによって、曲面はより多くの平面で近似され、稜線もより多くの直線で近似される。しかし、分割数を増やすと色の数はその三乗に比例して増加してしまう。また、上述したが、色の値を表示装置１に一つずつ与えては測色器２で測色するという操作を、取得する色値対の数だけ繰り返さなければならない。出力装置１がプロジェクタなどの場合、暗い中での測色には時間を要する。いくつかの色を投射させてカメラのような測色器２で一括して測色してもよいが、一括して測色する装置は一色ずつ測色する装置に比べて高価であるとともに、面内ムラの影響を受けて精度に支障が生じる場合がある。従って、色値対の数が制限される場合には分割数も制限される。また、単に色値対を追加する場合でも、その数は制限される。
【００４１】
この第１の具体例では、表示装置１に表示させる色見本を構成する色票の色として、稜線の色を、他の色域外郭に存在する色よりも密に含むようにする。上述したが、この稜線の色は、色域外郭の色の中でも重要な色であり、ＬＡＢ色空間における色域外郭の形状からして、誤差の影響が他の外郭の色に比べて大きい色である。従って、作成部４で色域外郭を作成する場合に、稜線に存在する色値対の数が精度に影響する。また、作成部４で色変換モデルや色変換プロファイルを作成する場合でも、色域外の色を再現される色に変換する場合などで色域外郭を使用しており、やはり稜線の精度に影響することになる。従って、稜線に存在する色見本の色を他の外郭の色よりも密に含むように、色見本の色を構成すれば、例えば各色成分の値の分割数を増やす場合に比べて色値対の数を抑えたままでも、精度が確保される。
【００４２】
ＲＧＢ色空間では、色域外郭は図２（Ａ）に示す６面体の各面であり、稜線は外郭を構成する６面体の各辺の色である。稜線に存在する色見本の色として各辺の色を他の外郭の色よりも密に含むように色を選択する。ここで、６面体の各辺の色は、Ｒ、Ｇ、Ｂの各色成分のうち、二つの色成分の値がともに各色成分の値の最小値または最大値となる色である。例えばそれぞれの色成分の値が０以上２５５以下の値をとる場合、ＲとＧ、ＧとＢ、ＲとＢがともに０または２５５となる色である。ＲとＧがともに０であればＢの単色であり、ＧとＢがともに０であればＲの単色であり、ＲとＢがともに０であればＧの単色である。また、ＲとＧがともに２５５であればＹ(イエロー)の単色であり、ＧとＢがともに２５５であればＣ(シアン)の単色であり、ＲとＢがともに２５５であればＭ(マゼンタ)の単色である。
【００４３】
このようなＲ、Ｇ、Ｂ、Ｃ、Ｍ、Ｙといった稜線の色を、他の外郭の色よりも密に含むように、色を選択する。このようにして選択した色の一例を、図２（Ｃ）および図２（Ｄ）に示している。ＲＧＢ色空間では、図２（Ｃ）に示した例の方が図２（Ａ）の場合に比べて、６面体の各辺に黒丸で示した色が追加されている。これらの黒丸で示した色を制御部３が表示装置１に表示させ、測色器２で測色して得た測色値による色域を図２（Ｄ）に概略を示している。図２（Ａ）、（Ｂ）に示した場合に比べて、測色値から得られる稜線の形状が曲線に近づき、誤差が抑えられる。
【００４４】
作成部４は、このようにして得られた測色値と、測色の際に制御部３が表示装置１に与えた色の値とを対にして色値対を取得し、色変換モデルや色域外郭、色変換プロファイルなどを作成すればよい。例えば、作成された表示装置１の色域外郭は、稜線の色値対が追加されていることから稜線での誤差は抑えられており、ひいては全体の誤差も抑えられている。また、例えば色変換モデルを作成すれば、Ｒ、Ｇ、Ｂ、Ｃ、Ｍ、Ｙなどの色再現性が改善され、変換後の色が再現されない色に変換されるなどの誤差が抑えられる。もちろん、表示装置１の色変換プロファイルを作成した場合でも、誤差が抑えられたものとなる。
【００４５】
図３は、本発明の第１の実施の形態において表示装置に表示させる色見本の色の第２の具体例の説明図、図４は、ＲＧＢ色空間における色相面の一例の説明図である。この第２の具体例では、複数の色成分のうち一つの色成分の値が最大値で他の色成分の値が最小値となる色相、または二つの色成分の値が最大値で他の色成分の値が最小値となる色相に含まれる色を、他の色相に含まれる色よりも密に含むように、表示装置１に表示させる色票の色により色見本を構成する例を示している。この具体例でも、表示装置１がＲＧＢ色空間の色の値を受け取って色を表示するものとし、表示された色を測色器２により測色し、測色値としてＬＡＢ色空間の値を得るものとする。
【００４６】
表示装置１は、一般には加法混色で色を表現する。このことから、表示の基本色となる、一つの色成分の値が最大値で他の色成分の値が最小値となる色相で精度を確保すれば、色域全体としての精度が得られる。例えばＲＧＢ色空間ではＲ、Ｇ、Ｂの色相での色値対を他の色相よりも密に取得しておけば、混色である色域全体での精度が得られる。例えば各色成分の値が０以上２５５以下の値をとる場合、（Ｒ，Ｇ，Ｂ）＝（２５５，０，０）の色を含む色相、（Ｒ，Ｇ，Ｂ）＝（０，２５５，０）の色を含む色相、（Ｒ，Ｇ，Ｂ）＝（０，０，２５５）の色を含む色相での色を、他の色相に含まれる色よりも密に含む複数の色票の色を表示装置１に表示させ、色値対を取得すればよい。
【００４７】
ＲＧＢ色空間における色相面の一例として、Ｒの色相面の一例を図４に示している。無彩色軸は、原点となる黒色、すなわち（Ｒ，Ｇ，Ｂ）＝（０，０，０）の色と、白色、すなわち（Ｒ，Ｇ，Ｂ）＝（２５５，２５５，２５５）の色を結ぶ直線であり、この直線を一辺として含むとともに、Ｒ色、すなわち（Ｒ，Ｇ，Ｂ）＝（２５５，０，０）の色を含む面が、Ｒの色相面となる。Ｇの色相面であれば、無彩色軸と（Ｒ，Ｇ，Ｂ）＝（０，２５５，０）の色を含む面が、Ｂの色相面であれば、無彩色軸と（Ｒ，Ｇ，Ｂ）＝（０，０，２５５）の色を含む面が、それぞれの色相面となる。
【００４８】
さらに、二つの色成分の値が最大値で、他の色成分の値が最小値となる色相でも、精度を確保しておくとよい。例えば、Ｒ、Ｇ、Ｂに加えてＣ、Ｍ、Ｙの色相でも色値対を他の色相よりも密に取得しておくとよい。例えば各色成分の値が０以上２５５以下の値をとる場合、上述のＲ、Ｇ、Ｂの色相とともに、（Ｒ，Ｇ，Ｂ）＝（０，２５５，２５５）の色を含むＣの色相、（Ｒ，Ｇ，Ｂ）＝（２５５，０，２５５）の色を含むＭの色相、（Ｒ，Ｇ，Ｂ）＝（２５５，２５５，０）の色を含むＹの色相での色を、他の色相に含まれる色よりも密に含む複数の色票を表示装置１に表示させ、色値対を取得すればよい。
【００４９】
図３（Ａ）には、一例としてＲの色相で取得する色値対の例を、また、図３（Ｂ）には、Ｒ、Ｇ、Ｂの色相以外あるいはＲ、Ｇ、Ｂに加えてＣ、Ｍ、Ｙの色相以外の色相において、表示装置１に表示させる見本色を構成する色票の色の一例を示している。図中、黒丸で示した色が表示装置１に表示させる色見本を構成する色票の色である。図３（Ａ）に示したＲの色相の方が、図３（Ｂ）に示した他の色相に比べて、黒丸で示した表示装置１に表示させる色票の色を多くしている。
【００５０】
Ｒ、Ｇ、Ｂの色相あるいはさらにＣ、Ｍ、Ｙの色相に含まれる色を、他の色相に含まれる色よりも密に含む複数の色票の色の値を表示装置１に与え、表示装置１に表示された色を測色器２で測色して測色値を得て、作成部４は色値対を取得する。作成部４では、取得した色値対を用いて、例えば表示装置１の色変換モデルを作成すれば、Ｒ、Ｇ、Ｂ、あるいはさらにＣ、Ｍ、Ｙなどの色相における色再現性が改善される。Ｒ、Ｇ、Ｂ、Ｃ、Ｍ、ＹはＲＧＢ色空間でもＬＡＢ色空間でも頂点となる色であり、この頂点となる色を含む色相で色変換の際の誤差が抑えられると、色域全体での色変換の際の誤差が抑えられることになる。また、例えば色域外郭を作成した場合でも、第１の具体例で説明した稜線での誤差は抑えられており、ひいては色域外郭全体の誤差も抑えられる。もちろん、表示装置１の色変換プロファイルを作成した場合でも、誤差が抑えられたものとなる。
【００５１】
なお、ＲＧＢ色空間における各色成分の最小値および最大値は上述の具体例に限られるものではない。また、上述の各具体例では表示装置１が受け付ける色の値がＲＧＢ色空間の値であり、測色値２で測色してＬＡＢ色空間の測色値を得るものとしたが、もちろん、いずれの色空間も一例であって、別の色空間の値であってよいことは言うまでもない。例えば、ＲＧＢ色空間に代えてＣＭＹ色空間を用いたり、ＬＡＢ色空間に代えてＸＹＺ色空間を用いるなど、種々の装置依存色空間及び装置非依存色空間を対にして用いればよい。
【００５２】
図５は、本発明の第２の実施の形態を含む構成図である。図中、５は生成部である。この第２の実施の形態では、表示装置１に表示させる画像を他の出力装置でも出力させ、あるいは他の出力装置で再現されている色を表示装置１に表示させる場合、または表示装置１に表示させる画像をｓＲＧＢなどの規格化された色域の画像に変換し、あるいは規格化された色域の画像を表示装置１に表示させる場合に、その出力装置に対応した見本色の色を生成し、色値対を取得する例を示す。以下の説明では、表示装置１以外の装置や規格などを色変換目標と呼び、他の出力装置や規格による色再現特性を色変換目標の色再現特性と呼ぶことにする。
【００５３】
異なる装置で色再現を行う場合、それぞれの装置で再現される色の範囲である色域が異なり、また再現される色が異なるなど、色再現特性が異なる。また、規格化された色域も、実際の装置における色域や再現される色とは異なり、やはり色再現特性が異なると言える。異なる色再現特性を有する場合、いずれか一方向あるいは双方向に色変換を行うことになる。この色変換には、作成部４で作成される色変換モデルや色変換プロファイルが用いられる。しかし、例えば一方の装置では再現されるが別の装置では再現されないような色や、規格化された色域には含まれるが、実際に出力すする装置では再現されないような色については、色変換の際の精度によっては、色変換後に色域外の色に変換されるなどの不具合を生じる場合がある。
【００５４】
このような不具合に対応するには、色変換の際に重要となる色、例えば白や黒、Ｒ、Ｇ、Ｂ、Ｃ、Ｍ、Ｙなどについて、精度を有しているとよい。このような観点から、この第２の実施の形態では表示装置１の色再現特性とともに、出力の対象としている他の出力装置の色再現特性を得て、あるいは目標値として規格化された色域などの色再現特性を得て、表示装置１の色再現特性と比較する。比較する際に用いる色再現特性としては種々の特性を使用してよいが、例えば、色域や輝度、色温度など使用するとよい。比較結果に従って、重要な色について色領域を設定し、その色領域内では色領域外よりも密に色票の色を含むように色見本を構成しておくとよい。そして、これらの色見本を構成する複数の色票の色の値を制御部３は表示装置１に与えて表示装置１に表示させ、その際に表示装置１に与えた色の値と、表示装置１で表示された色を測色器２で測色し、得られた測色値を対応づけ、作成部４は色値対として取得する。作成部４は、取得した色値対を用いて、色変換モデルや色変換プロファイル、色域外郭などを作成すれば、設定した色領域においては色領域外よりも精度のよいものが作成される。これを用いれば、色変換目標との相互の色再現における不具合が解消することになる。
【００５５】
この第２の実施の形態では、生成部５を有している。この生成部５は、表示装置１の色再現特性と、色変換目標の色再現特性を比較し、その比較の結果に応じて色領域を設定し、設定した色領域内の色がその色領域外の色に比べて密に含まれるように色見本を構成する複数の色票の色を生成する。制御部３は、生成部５で生成した複数の色票の色の値を順に表示装置１に渡し、その色を表示装置１に表示させる。作成部４は、表示装置１に表示された色を測色器２で測色して得た測色値と、表示させた色の値とを対応づけて色値対を取得し、色変換モデルや色域外郭、色変換プロファイルなどを作成する。
【００５６】
図６は、本発明の第２の実施の形態における生成部の動作の一例を示す流れ図である。Ｓ１１において、色変換目標の色再現特性を取得する。またＳ１２において、表示装置１の色再現特性を取得する。表示装置１の色再現特性を取得する際には、取得する色再現特性を示す色の値を制御部３に渡して表示装置１に表示させ、測色器２で測色して得られた測色値を制御部３から取得してもよい。
【００５７】
Ｓ１３において、Ｓ１２で取得した表示装置１の色再現特性とＳ１１で取得した色変換目標の色再現特性とを比較する。Ｓ１４において、Ｓ１３で行った比較の結果に応じて、色を密に配置する色領域を設定する。そしてＳ１５において、制御部３が表示装置１に表示させる色見本を構成する色票の色の値として、Ｓ１４で設定した色領域には他の領域に比べて密になるように色票の色の値を生成して制御部３へ渡す。
【００５８】
制御部３では、生成部５から渡された色の値を表示装置１に表示させる。作成部４は、制御部３が表示装置１に表示させ、表示された色を測色器２で測色して得られた測色値と表示の際の色の値を対応づけて色値対を取得し、色変換モデルや色域外郭、色変換プロファイルなどを作成する。
【００５９】
なお、生成部５を設けずに、表示装置１の色再現特性と他の出力装置の色再現特性の比較結果に応じて設定された色領域内の色をその色領域外の色に比べて密に含む複数の色票の色の値が制御部３にあらかじめ与えられてもよい。制御部３は、与えられている複数の色票の色の値を表示装置１に与えて表示させる制御を行うことになる。
【００６０】
以下、いくつかの具体例を示す。図７は、本発明の第２の実施の形態において色再現特性として白の輝度を用いた場合の色の生成の一例の説明図である。図７では、ＬＡＢ色空間における、ある色相断面を示している。この例では色再現特性として輝度を用いることとし、白を対象として色領域を設定する例を示している。図中の白丸は表示装置１における白を示し、×印は色変換目標における白を示している。白は出力装置の基準として用いられる場合があり、他の色に比べて正確性が要求されることから、ここでは白を対象としている。
【００６１】
生成部５は、表示装置１の白の輝度と、他の出力装置の白の輝度を取得して比較し、比較結果に応じて表示装置１の白を起点とする色領域を設定する。例えば、両者の輝度の差分を求め、その差分が大きいほど広い色領域を設定する。色領域の大きさは、例えば差分を引数とする関数により求めたり、差分に関するいくつかの区分を設けておいて、差分が属する区分に応じた広さの色領域を設定するなど、色領域の設定方法については種々の公知の方法を採用すればよい。
【００６２】
また、色の生成は、例えばＲ，Ｇ，Ｂの各色成分の値が０以上２５５以下の値をとる場合、色領域の設定として各色成分の値の区分点を算出して、各色成分の値がいずれも区分点以上２５５以下の領域において、他の領域よりも分割数を増やして行えばよい。これにより、設定した色領域では、その色領域以外よりも密に色票の色が生成されることになる。
【００６３】
図７に示した例では、表示装置１の白及び他の出力装置の白を含む円で示した色領域において、色領域外に比べて、黒丸で示した色が密に存在している。このように、生成部５では、設定した色領域の色を色領域外の色に比べて密になるように生成する。生成された色の値は色見本を構成する複数の色票の色の値としてが制御部３に渡され、制御部３の制御に従って表示装置１に表示される。表示装置１に表示された色は測色器２で測色され、得られた測色値と表示装置１に与えた色の値とを対応づけて色値対が取得され、取得された色値対を用いて作成部４で色変換モデルや色変換プロファイルなどを作成すればよい。作成された色変換モデルや色変換プロファイルなどは他の出力装置の白を含む色領域での精度が、その色領域外の精度よりも向上する。従って、色領域の色を色領域外の色に比べて密にした場合には均等に色を生成した場合に比べて、白に関する色変換が精度よく行われることになる。
【００６４】
なお、ここでは色再現特性として輝度を用いたが、もちろん明度（Ｌ＊）を用いてもよいことは言うまでもない。また、色再現特性として色温度を用いてもよい。表示装置１の色温度と他の出力装置の色温度との差分に応じて、表示装置１の白を起点とした色領域を設定し、その色領域内の色が色領域外の色よりも密に含まれるように、色見本を構成する複数の色票の色を生成すればよい。
【００６５】
図８は、本発明の第２の実施の形態において色再現特性として黒の輝度を用いた場合の色の生成の一例の説明図である。図８では、ＬＡＢ色空間における、ある色相断面を示している。この例では色再現特性として輝度を用いることとし、黒を対象として色領域を設定する例を示している。図中の白丸は表示装置１における黒を示し、×印は他の出力装置における黒を示している。黒も白とともに出力装置の基準として用いられる場合があり、他の色に比べて正確性が要求されることから、ここでは黒を対象としている。
【００６６】
生成部５は、表示装置１の黒の輝度と、他の出力装置の黒の輝度を取得して比較し、比較結果に応じて表示装置１の黒を起点とする色領域を設定する。例えば、両者の輝度の差分を求め、その差分が大きいほど広い色領域を設定する。色領域の大きさは、例えば差分を引数とする関数により求めたり、差分に関するいくつかの区分を設けておいて、差分が属する区分に応じた広さの色領域を設定するなど、色領域の設定方法については種々の公知の方法を採用すればよい。
【００６７】
また、色の生成は、例えばＲ，Ｇ，Ｂの各色成分の値が０以上２５５以下の値をとる場合、色領域の設定として各色成分の値の区分点を算出して、各色成分の値がいずれも０以上区分点以下の領域において、他の領域よりも分割数を増やして行えばよい。これにより、設定した色領域では、その色領域以外よりも密に色票の色が生成されることになる。
【００６８】
図８に示した例では、表示装置１の黒及び他の出力装置の黒を含む円で示した色領域において、色領域外に比べて、黒丸で示した色が密に存在している。このように、生成部５では、設定した色領域の色を色領域外の色に比べて密に含まれるように、色見本を構成する複数の色票の色を生成する。生成された色見本を構成する複数の色票の色の値が制御部３に渡され、制御部３の制御に従って色票の色が表示装置１に表示される。表示装置１に表示された色は測色器２で測色され、得られた測色値と表示装置１に与えた色の値とを対応づけて色値対が取得され、作成部４で色変換モデルや色変換プロファイルなどが作成される。作成された色変換モデルや色変換プロファイルなどは他の出力装置の黒を含む色領域での精度が、その色領域外の精度よりも向上する。従って、色領域の色を色領域外の色に比べて密にした場合には均等に色を生成した場合に比べて、黒に関する色変換が精度よく行われることになる。
【００６９】
なお、ここでは色再現特性として輝度を用いたが、もちろん明度（Ｌ＊）を用いてもよいことは言うまでもない。
【００７０】
図９は、本発明の第２の実施の形態において色再現特性として彩度を用いた場合の色の生成の一例の説明図である。図９では、ＬＡＢ色空間における、赤の色相断面の概略を示している。この例では、白や黒以外のＲ、Ｇ、Ｂ、Ｃ、Ｍ、Ｙなどの重要色を対象として色領域を設定する。Ｒ、Ｇ、Ｂ、Ｃ、Ｍ、Ｙは、ＲＧＢ色空間でもＬＡＢ色空間でも頂点となる色であり、これらの色についての色変換の精度が色域全体の色変換に影響する。従って、これらの色は他の色に比べて正確性が要求されることから、ここではこれらの色を対象としている。
【００７１】
図９に示した例では、重要色のうち、一例としてＲを対象とした場合を示している。図中の白丸は表示装置１におけるＲを示し、×印は他の出力装置におけるＲを示している。
【００７２】
生成部５は、表示装置１のＲの彩度と、他の出力装置のＲの彩度を取得して比較し、比較結果に応じて表示装置１のＲを起点とする色領域を設定する。例えば、両者の彩度の差分を求め、その差分が大きいほど広い色領域を設定する。色領域の大きさは、例えば差分を引数とする関数により求めたり、差分に関するいくつかの区分を設けておいて、差分が属する区分に応じた広さの色領域を設定するなど、色領域の設定方法については種々の公知の方法を採用すればよい。
【００７３】
また、色の生成は、例えばＲ，Ｇ，Ｂの各色成分の値が０以上２５５以下の値をとる場合、色領域の設定として各色成分の区分値を算出して、Ｒ成分の値が２５５以下（２５５−区分値）以上であり、Ｇ、Ｂ成分の値がともに０以上区分値以下である領域において、他の領域よりも分割数を増やして行えばよい。これにより、設定した色領域では、その色領域以外よりも密に色票の色が生成されることになる。
【００７４】
図９に示した例では、表示装置１のＲ及び他の出力装置のＲを含む円で示した色領域において、色領域外に比べて、黒丸で示した色が密に存在している。このように、生成部５では、設定した色領域の色が色領域外の色に比べて密に含まれるように、色見本を構成する色票の色を生成する。生成された色見本を構成する色票の色の値が制御部３に渡され、その色票の色が制御部３の制御に従って表示装置１に表示される。表示装置１に表示された色は測色器２で測色され、得られた測色値と表示装置１に与えた色の値とを対応づけて色値対が取得され、作成部４で色域外郭や色変換モデル、色変換プロファイルなどが作成される。作成された色域外郭や色変換モデル、色変換プロファイルなどは、他の出力装置のＲを含む色領域での精度が、その色領域外の精度よりも向上する。従って、色領域の色を色領域外の色に比べて密にした場合には均等に色を生成した場合に比べて、Ｒに関する色変換が精度よく行われることになる。
【００７５】
ここではＲを例にして示したが、Ｇ、Ｂ、Ｃ、Ｍ、Ｙを含め、少なくともいずれか１色について行うとよい。もちろん、複数色、あるいはこれらの重要色すべてについて行ってもよい。さらには、例えば肌色や空の色など、いわゆる記憶色などについても、表示装置１の再現色と色再現目標における再現色との差分に従って色領域を設定して、色領域内の色が色領域外の色よりも密に含まれるように色見本を構成する色票の色を生成してもよい。また、ここでは色再現特性として彩度を用いたが、色相や明度等の他の色再現特性を用いてもよいし、色再現特性の差分として色差を用いてもよい。
【００７６】
以上、生成部５で生成する色について、いくつかの例について説明した。各例で用いたＲＧＢ色空間における各色成分の最小値および最大値は上述の具体例に限られるものではない。また、上述の各具体例では表示装置１が受け付ける色の値がＲＧＢ色空間の値であり、測色器２で測色して得られる測色値がＬＡＢ色空間の値であるものとしたが、もちろん、いずれの色空間も一例であって、別の色空間の値であってよいことは言うまでもない。例えば、ＲＧＢ色空間に代えてＣＭＹ色空間を用いたり、ＬＡＢ色空間に代えてＸＹＺ色空間を用いるなど、種々の装置依存色空間及び装置非依存色空間を対にして用いればよい。
【００７７】
また、上述の各例は、適宜組み合わせてもよい。生成部５を設けない場合には、上述した色見本を構成する色票の色の値を用意しておいて、制御部３が使用するように構成すればよい。さらに、この第２の実施の形態と上述の第１の実施の形態とを組み合わせ、重要色の色相の色や稜線の色も色領域とともに密に含むように色見本を構成する色票の色を構成し、制御部３の制御に従って表示装置１に表示させるようにしてもよい。
【００７８】
図１０は、本発明の各実施の形態で説明した機能をコンピュータプログラムで実現した場合におけるコンピュータプログラム及びそのコンピュータプログラムを格納した記憶媒体とコンピュータの一例の説明図である。図中、２１はプログラム、２２はコンピュータ、３１は光磁気ディスク、３２は光ディスク、３３は磁気ディスク、３４はメモリ、４１はＣＰＵ、４２は内部メモリ、４３は読取部、４４はハードディスク、４５はインタフェース、４６は通信部である。
【００７９】
上述の本発明の各実施の形態として説明した制御部３や作成部４、あるいはさらに生成部５を含めた機能の全部あるいは部分的に、コンピュータが実行するプログラム２１によって実現してもよい。その場合、そのプログラム２１およびそのプログラムが用いるデータ、例えば表示装置１に与える色見本を構成する色票の色の値のデータなどは、コンピュータによって読み取られる記憶媒体に記憶させておけばよい。記憶媒体とは、コンピュータのハードウェア資源に備えられている読取部４３に対して、プログラムの記述内容に応じて、磁気、光、電気等のエネルギーの変化状態を引き起こして、それに対応する信号の形式で、読取部４３にプログラムの記述内容を伝達するものである。例えば、光磁気ディスク３１、光ディスク３２（ＣＤやＤＶＤなどを含む）、磁気ディスク３３、メモリ３４（ＩＣカード、メモリカード、フラッシュメモリなどを含む）等である。もちろんこれらの記憶媒体は、可搬型に限られるものではない。
【００８０】
これらの記憶媒体にプログラム２１を格納しておき、例えばコンピュータ２２の読取部４３あるいはインタフェース４５にこれらの記憶媒体を装着して、コンピュータからプログラム２１を読み出し、内部メモリ４２またはハードディスク４４（磁気ディスクやシリコンディスクなどを含む）に記憶し、ＣＰＵ４１によってプログラム２１を実行し、上述の本発明の各実施の形態として説明した制御部３や作成部４、あるいはさらに生成部５を含めた機能が全部又は部分的に実現される。あるいは、通信路を介してプログラム２１をコンピュータ２２に転送し、コンピュータ２２では通信部４６でプログラム２１を受信して内部メモリ４２またはハードディスク４４に記憶し、ＣＰＵ４１によってプログラム２１を実行して実現してもよい。
【００８１】
コンピュータ２２には、このほかインタフェース４５を介して様々な装置を接続してもよい。例えば表示装置１及び測色器２が接続され、色見本を構成する色票の色の値を表示装置１へ送って色を表示させ、その色を測色器２で測色して測色値を取得するように構成されていてもよい。もちろん、この他にも種々の装置がインタフェース４５を介して接続されていてもよい。なお、各構成が１台のコンピュータにおいて動作する必要はない。例えば制御部と作成部４、あるいはさらに生成部５が別のコンピュータにより処理が実行されてもよい。生成部５の機能を有しない場合でも、表示装置１に与える色の値のデータ構造を別途生成しておき、ハードディスク４４や内部メモリ４２にあらかじめ記憶させておけばよい。
【符号の説明】
【００８２】
１…表示装置、２…測色器、３…制御部、４…作成部、５…生成部、２１…プログラム、２２…コンピュータ、３１…光磁気ディスク、３２…光ディスク、３３…磁気ディスク、３４…メモリ、４１…ＣＰＵ、４２…内部メモリ、４３…読取部、４４…ハードディスク、４５…インタフェース、４６…通信部。
【図１】
2015136022.tif 000003
【図２】
2015136022.tif 000004
【図３】
2015136022.tif 000005
【図４】
2015136022.tif 000006
【図５】
2015136022.tif 000007
【図６】
2015136022.tif 000008
【図７】
2015136022.tif 000009
【図８】
2015136022.tif 000010
【図９】
2015136022.tif 000011
【図１０】
2015136022.tif 000012
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
表示手段の色再現特性と色変換目標の色再現特性の比較結果に応じて色領域を設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて前記表示手段の色再現特性を改めて取得する取得手段と、を有することを特徴とする表示制御システム。
【請求項２】
表示手段の色再現特性と色変換目標の色再現特性の比較結果に応じて色領域を設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成する作成手段と、を有することを特徴とする表示制御システム。
【請求項３】
前記生成手段は、前記表示手段と前記色変換目標における白の輝度の差分又は色温度の差分に応じて設定された白を起点とする色領域の色を該色領域の外の色に比べて密に含む複数の色を生成することを特徴とする請求項１または請求項２に記載の表示制御システム。
【請求項４】
前記生成手段は、前記表示手段と前記色変換目標における黒の輝度の差分に応じて設定された黒を起点とする色領域の色を該色領域の外の色に比べて密に含む複数の色を生成することを特徴とする請求項１または請求項２に記載の表示制御システム。
【請求項５】
表示手段の色再現特性と色変換目標の色再現特性の比較結果に応じて色領域を設定し、該色領域内の色が該色領域外の色に比べて密に含まれるよう色見本を構成する複数の色を生成し、生成された前記複数の色の値と、これを前記表示手段に表示させて得た測色値とからなる色値対を用いて前記表示手段の色再現特性を改めて取得することを特徴とする表示制御方法。
【請求項６】
表示手段の色再現特性と色変換目標の色再現特性の比較結果に応じて色領域を設定し、該色領域内の色が該色領域外の色に比べて密に含まれるよう色見本を構成する複数の色を生成し、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成することを特徴とする表示制御方法。
【請求項７】
コンピュータに、請求項５または請求項６に記載の表示制御方法を実行させるものであることを特徴とする表示制御プログラム。
【手続補正３】
【補正対象書類名】明細書
【補正対象項目名】０００１
【補正方法】変更
【補正の内容】
【０００１】
本発明は、表示制御システム、表示制御方法、表示制御プログラムに関するものである。
【手続補正４】
【補正対象書類名】明細書
【補正対象項目名】０００８
【補正方法】変更
【補正の内容】
【０００８】
本発明は、色見本を構成する複数の色票として、外郭面の色が同じ密度で含まれる複数の色票を用いる場合に比べて、少ない色票の色の表示でも精度よく表示手段の色再現特性を取得し、あるいは色変換に用いられる変換関係を作成することができる表示制御システム及び表示制御方法、表示制御プログラムを提供することを目的とするものである。
【手続補正５】
【補正対象書類名】明細書
【補正対象項目名】０００９
【補正方法】変更
【補正の内容】
【０００９】
本願請求項１に記載の発明は、表示手段の色再現特性と色変換目標の色再現特性の比較結果に応じて色領域を設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて前記表示手段の色再現特性を改めて取得する取得手段と、を有することを特徴とする表示制御システムである。
【手続補正６】
【補正対象書類名】明細書
【補正対象項目名】００１０
【補正方法】変更
【補正の内容】
【００１０】
本願請求項２に記載の発明は、表示手段の色再現特性と色変換目標の色再現特性の比較結果に応じて色領域を設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成する作成手段と、を有することを特徴とする表示制御システムである。
【手続補正７】
【補正対象書類名】明細書
【補正対象項目名】００１１
【補正方法】変更
【補正の内容】
【００１１】
本願請求項３に記載の発明は、請求項１または請求項２に記載の発明における前記生成手段が、前記表示手段と前記色変換目標における白の輝度の差分又は色温度の差分に応じて設定された白を起点とする色領域の色を該色領域の外の色に比べて密に含む複数の色を生成することを特徴とする表示制御システムである。
【手続補正８】
【補正対象書類名】明細書
【補正対象項目名】００１２
【補正方法】変更
【補正の内容】
【００１２】
本願請求項４に記載の発明は、請求項１または請求項２に記載の発明における前記生成手段が、前記表示手段と前記色変換目標における黒の輝度の差分に応じて設定された黒を起点とする色領域の色を該色領域の外の色に比べて密に含む複数の色を生成することを特徴とする表示制御システムである。
【手続補正９】
【補正対象書類名】明細書
【補正対象項目名】００１３
【補正方法】変更
【補正の内容】
【００１３】
本願請求項５に記載の発明は、表示手段の色再現特性と色変換目標の色再現特性の比較結果に応じて色領域を設定し、該色領域内の色が該色領域外の色に比べて密に含まれるよう色見本を構成する複数の色を生成し、生成された前記複数の色の値と、これを前記表示手段に表示させて得た測色値とからなる色値対を用いて前記表示手段の色再現特性を改めて取得することを特徴とする表示制御方法である。
【手続補正１０】
【補正対象書類名】明細書
【補正対象項目名】００１４
【補正方法】変更
【補正の内容】
【００１４】
本願請求項６に記載の発明は、表示手段の色再現特性と色変換目標の色再現特性の比較結果に応じて色領域を設定し、該色領域内の色が該色領域外の色に比べて密に含まれるよう色見本を構成する複数の色を生成し、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成することを特徴とする表示制御方法である。
【手続補正１１】
【補正対象書類名】明細書
【補正対象項目名】００１５
【補正方法】変更
【補正の内容】
【００１５】
本願請求項７に記載の発明は、コンピュータに、請求項５または請求項６に記載の表示制御方法を実行させるものであることを特徴とする表示制御プログラムである。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
本願請求項１に記載の発明によれば、本構成を有しない場合に比べて、色変換目標で色再現する際の表示手段の色再現特性を精度よく取得することができるという効果がある。
【手続補正１５】
【補正対象書類名】明細書
【補正対象項目名】００１９
【補正方法】変更
【補正の内容】
【００１９】
本願請求項２に記載の発明によれば、本構成を有しない場合に比べて、色変換目標で色再現する際の表示手段の色再現特性を色変換目標の色再現特性に近づけた、色変換に用いられる変換関係を作成することができるという効果がある。
【手続補正１６】
【補正対象書類名】明細書
【補正対象項目名】００２０
【補正方法】変更
【補正の内容】
【００２０】
本願請求項３に記載の発明によれば、本構成を有しない場合に比べて、色変換目標で精度よく白が色再現されるように色見本の表示を表示手段に行わせることができる。
【手続補正１７】
【補正対象書類名】明細書
【補正対象項目名】００２１
【補正方法】変更
【補正の内容】
【００２１】
本願請求項４に記載の発明によれば、本構成を有しない場合に比べて、色変換目標で精度よく黒が色再現されるように色見本の表示を表示手段に行わせることができる。
【手続補正１８】
【補正対象書類名】明細書
【補正対象項目名】００２２
【補正方法】変更
【補正の内容】
【００２２】
本願請求項５に記載の発明によれば、本構成を有しない場合に比べて、色変換目標で色再現する際の表示手段の色再現特性を精度よく取得することができるという効果がある。
【手続補正１９】
【補正対象書類名】明細書
【補正対象項目名】００２３
【補正方法】変更
【補正の内容】
【００２３】
本願請求項６に記載の発明によれば、本構成を有しない場合に比べて、色変換目標で色再現する際の表示手段の色再現特性を色変換目標の色再現特性に近づけた、色変換に用いられる変換関係を作成することができるという効果がある。
【手続補正２０】
【補正対象書類名】明細書
【補正対象項目名】００２４
【補正方法】変更
【補正の内容】
【００２４】
本願請求項７に記載の発明によれば、本願請求項５または請求項６に記載の発明の効果を得ることができる。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
表示手段と色変換目標における白の輝度の差分又は色温度の差分を求め、前記色変換目標における白を起点とする色領域を、前記差分が大きいほど広くなるように設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて前記表示手段の色再現特性を改めて取得する取得手段と、を有することを特徴とする表示制御システム。
【請求項２】
表示手段と色変換目標における白の輝度の差分又は色温度の差分を求め、前記色変換目標における白を起点とする色領域を、前記差分が大きいほど広くなるように設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成する作成手段と、を有することを特徴とする表示制御システム。
【請求項３】
表示手段と色変換目標における白の輝度の差分又は色温度の差分を求め、前記色変換目標における白を起点とする色領域を、前記差分が大きいほど広くなるように設定し、該色領域内の色が該色領域外の色に比べて密に含まれるよう色見本を構成する複数の色を生成し、生成された前記複数の色の値と、これを前記表示手段に表示させて得た測色値とからなる色値対を用いて前記表示手段の色再現特性を改めて取得することを特徴とする表示制御方法。
【請求項４】
表示手段と色変換目標における白の輝度の差分又は色温度の差分を求め、前記色変換目標における白を起点とする色領域を、前記差分が大きいほど広くなるように設定し、該色領域内の色が該色領域外の色に比べて密に含まれるよう色見本を構成する複数の色を生成し、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成することを特徴とする表示制御方法。
【請求項５】
コンピュータに、請求項３または請求項４に記載の表示制御方法を実行させるものであることを特徴とする表示制御プログラム。
【手続補正２】
【補正対象書類名】明細書
【補正対象項目名】０００９
【補正方法】変更
【補正の内容】
【０００９】
本願請求項１に記載の発明は、表示手段と色変換目標における白の輝度の差分又は色温度の差分を求め、前記色変換目標における白を起点とする色領域を、前記差分が大きいほど広くなるように設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて前記表示手段の色再現特性を改めて取得する取得手段と、を有することを特徴とする表示制御システムである。
【手続補正３】
【補正対象書類名】明細書
【補正対象項目名】００１０
【補正方法】変更
【補正の内容】
【００１０】
本願請求項２に記載の発明は、表示手段と色変換目標における白の輝度の差分又は色温度の差分を求め、前記色変換目標における白を起点とする色領域を、前記差分が大きいほど広くなるように設定し、該色領域の色が該色領域の外の色に比べて密に含まれるよう色見本を構成する複数の色を生成する生成手段と、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成する作成手段と、を有することを特徴とする表示制御システムである。
【手続補正４】
【補正対象書類名】明細書
【補正対象項目名】００１１
【補正方法】変更
【補正の内容】
【００１１】
本願請求項３に記載の発明は、表示手段と色変換目標における白の輝度の差分又は色温度の差分を求め、前記色変換目標における白を起点とする色領域を、前記差分が大きいほど広くなるように設定し、該色領域内の色が該色領域外の色に比べて密に含まれるよう色見本を構成する複数の色を生成し、生成された前記複数の色の値と、これを前記表示手段に表示させて得た測色値とからなる色値対を用いて前記表示手段の色再現特性を改めて取得することを特徴とする表示制御方法である。
【手続補正５】
【補正対象書類名】明細書
【補正対象項目名】００１２
【補正方法】変更
【補正の内容】
【００１２】
本願請求項４に記載の発明は、表示手段と色変換目標における白の輝度の差分又は色温度の差分を求め、前記色変換目標における白を起点とする色領域を、前記差分が大きいほど広くなるように設定し、該色領域内の色が該色領域外の色に比べて密に含まれるよう色見本を構成する複数の色を生成し、生成された前記複数の色の値と、これを前記表示手段に表示させて得た測色値とからなる色値対を用いて、前記表示手段の色再現特性を前記色変換目標の色再現特性に近づけるための色変換に用いられる変換関係を作成することを特徴とする表示制御方法である。
【手続補正６】
【補正対象書類名】明細書
【補正対象項目名】００１３
【補正方法】変更
【補正の内容】
【００１３】
本願請求項５に記載の発明は、コンピュータに、請求項３または請求項４に記載の表示制御方法を実行させるものであることを特徴とする表示制御プログラムである。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１８
【補正方法】変更
【補正の内容】
【００１８】
本願請求項１に記載の発明によれば、本構成を有しない場合に比べて、色変換目標で精度よく白が色再現されるように、表示手段の色再現特性を精度よく取得することができるという効果がある。
【手続補正１０】
【補正対象書類名】明細書
【補正対象項目名】００１９
【補正方法】変更
【補正の内容】
【００１９】
本願請求項２に記載の発明によれば、本構成を有しない場合に比べて、色変換目標で精度よく白が色再現されるように、表示手段の色再現特性を色変換目標の色再現特性に近づけた、色変換に用いられる変換関係を作成することができるという効果がある。
【手続補正１１】
【補正対象書類名】明細書
【補正対象項目名】００２０
【補正方法】変更
【補正の内容】
【００２０】
本願請求項３に記載の発明によれば、本構成を有しない場合に比べて、色変換目標で精度よく白が色再現されるように、表示手段の色再現特性を精度よく取得することができるという効果がある。
【手続補正１２】
【補正対象書類名】明細書
【補正対象項目名】００２１
【補正方法】変更
【補正の内容】
【００２１】
本願請求項４に記載の発明によれば、本構成を有しない場合に比べて、色変換目標で精度よく白が色再現されるように、色再現する際の表示手段の色再現特性を色変換目標の色再現特性に近づけた、色変換に用いられる変換関係を作成することができるという効果がある。
【手続補正１３】
【補正対象書類名】明細書
【補正対象項目名】００２２
【補正方法】変更
【補正の内容】
【００２２】
本願請求項５に記載の発明によれば、本願請求項３または請求項４に記載の発明の効果を得ることができる。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】